【手続補正書】
【提出日】平成18年4月19日(2006.4.19)
【手続補正１】
【補正対象書類名】明細書
【補正対象項目名】特許請求の範囲
【補正方法】変更
【補正の内容】
【特許請求の範囲】
【請求項１】  所定のネットワークを介して、該ネットワークに接続された所定のネットワーク機器の動作を制御する制御装置であって、
所定の移動体が予め設定された所定の目的地に到着する到着時刻を基準として設定された制御条件と、制御対象となる前記ネットワーク機器の動作を制御するための制御情報との関係を、複数の移動体について、該移動体ごとにそれぞれ規定した所定の制御規則を記憶する制御規則記憶部と、
前記移動体の識別情報を取得する識別情報取得部と、
前記移動体の現在位置を示す位置情報を取得する位置情報取得部と、
該位置情報に基づいて、所定の演算によって前記到着時刻を予測する到着時刻予測部と、
前記制御規則を参照し、前記識別情報に基づいて、前記予測された到着時刻が前記制御条件を満たしたときに、前記ネットワーク機器に前記制御情報を送信する送信部と、
を備える制御装置。
【請求項２】  請求項１記載の制御装置であって、さらに、
経路探索に利用される所定の経路探索データを記憶する経路探索データ記憶部を備え、
前記到着時刻予測部は、前記経路探索データを参照して、前記移動体から前記目的地までの経路探索を行うことによって、前記到着時刻を予測する、
制御装置。
【請求項３】  請求項２記載の制御装置であって、さらに、
通行所要時間に関連する所定の交通情報を取得する交通情報取得部を備え、
前記到着時刻予測部は、前記交通情報を参照して、前記到着時刻を予測する、
制御装置。
【請求項４】  請求項２記載の制御装置であって、さらに、
移動手段に関連した複数の地物の位置情報および属性情報を含む所定の地物データを記憶する地物データ記憶部と、
前記移動体の位置情報と前記地物データとに基づいて、前記移動体の移動手段を予測する移動手段予測部と、を備え、
前記到着時刻予測部は、前記予測された移動手段に基づいて、前記経路探索を行うことによって、前記到着時刻を予測する、
制御装置。
【請求項５】  請求項４記載の制御装置であって、さらに、
現在時刻を取得する時刻取得部と、
前記予測された移動手段に対応する交通機関の前記各地物における発着時刻を記録した時刻表を取得する時刻表取得部と、を備え、
前記到着時刻予測部は、さらに、前記時刻表を参照し、前記現在時刻と前記移動体の位置情報とに基づいて、前記交通機関の利用時刻を推定することによって、前記目的地への到着時刻を予測する、
制御装置。
【請求項６】  請求項１記載の制御装置であって、さらに、
現在時刻を取得する時刻取得部を備え、
前記到着時刻予測部は、前記現在時刻を参照して、前記移動体が前記目的地に到着する時分を予測する、
制御装置。
【請求項７】  所定のネットワークを介して、該ネットワークに接続された所定のネットワーク機器の動作を制御する制御装置であって、
所定の移動体の現在位置を示す位置情報を取得する位置情報取得部と、
該位置情報に基づいて、前記ネットワーク機器の動作を制御するか否かを判断する判断部と、
前記ネットワーク機器の動作を制御すべきと判断されたときに、前記ネットワーク機器の動作を制御するための制御情報を、前記ネットワーク機器に送信する送信部と、
を備える制御装置。
【請求項８】  所定のネットワークを介して、該ネットワークに接続された所定のネットワーク機器の動作を制御する制御装置であって、
所定の移動体の現在位置を示す位置情報を時系列的に取得する位置情報取得部と、
該時系列的に取得された位置情報と、予め設定された所定位置とに基づいて、該所定位置に対する前記移動体の移動状況を判断する判断部と、
前記移動体が前記所定位置から離れつつあると判断されたときに、前記ネットワーク機器の動作を制御するための制御情報を前記ネットワーク機器に送信する送信部と、
を備える制御装置。
【請求項９】  請求項８記載の制御装置であって、
前記判断部は、さらに、前記移動体が前記所定位置を基準として設定された所定の領域外に出たか否かを判断し、
前記送信部は、さらに、前記移動体が前記領域外に出たと判断されたときに、前記制御情報を送信する、
制御装置。
【請求項１０】  請求項８記載の制御装置であって、
前記位置情報取得部は、複数の移動体の位置情報を取得し、
前記判断部は、前記複数の移動体の移動状況を判断し、
前記送信部は、該複数の移動体の移動状況に基づいて、該移動状況に対応した前記制御情報を送信する、
制御装置。
【請求項１１】  所定の移動端末に所定のメッセージを送信するメッセージ送信装置であって、
前記移動端末のユーザに依頼すべき事柄に関する情報と、該事柄を行う所定位置に関する情報とを含む依頼情報を取得する依頼情報取得部と、
前記移動端末の現在位置を示す位置情報を取得する位置情報取得部と、
前記現在位置と予め設定された所定の目的地とに基づいて定められた所定の領域内に、前記所定位置が存在するか否かを判断する判断部と、
前記領域内に前記所定位置が存在すると判断されたときに、前記所定位置で前記事柄を行うことを依頼するためのメッセージを、前記移動端末に送信する送信部と、
を備えるメッセージ送信装置。
【請求項１２】  請求項１１記載のメッセージ送信装置であって、
前記送信部は、さらに、前記事柄の準備を行うための所定の準備情報を、該準備情報を処理すべき所定の情報処理装置に送信する、
メッセージ送信装置。
【請求項１３】  請求項１２記載のメッセージ送信装置であって、さらに、
前記移動端末から、前記メッセージに対する返信を受信する受信部を備え、
前記送信部は、前記返信が前記メッセージを承認する旨の内容であるときに、前記準備情報を前記情報処理装置に送信する、
メッセージ送信装置。
【請求項１４】  請求項１２記載のメッセージ送信装置であって、さらに、
前記現在位置から前記所定位置までの到着時刻を予測する到着時刻予測部を備え、
前記送信部は、さらに、前記到着時刻を前記情報処理装置に送信する、
メッセージ送信装置。
【請求項１５】  移動端末であって、
該移動端末の現在位置を示す位置情報の送信を許可するための送信条件を記憶する送信条件記憶部と、
前記位置情報を検出する検出部と、
前記送信条件が満たされたか否かを判断する判断部と、
前記送信条件が満たされたときに、前記位置情報を所定の情報処理装置に送信する送信部と、
を備える移動体端末。
【請求項１６】  請求項１５記載の移動端末であって、
前記送信条件は、前記現在位置が予め設定された所定の領域内に存在することを含む、
移動端末。
【請求項１７】  請求項１５記載の移動端末であって、さらに、
現在時刻を取得する時刻取得部を備え、
前記送信条件は、前記現在時刻が予め設定された所定の時間帯であることを含む、
移動端末。
【請求項１８】  請求項１５記載の移動端末であって、
前記送信部は、該移動端末のユーザの意思に関わらず、所定のタイミングで前記位置情報を送信する、
移動端末。
【請求項１９】  所定のネットワークを介して、該ネットワークに接続された所定のネットワーク機器の動作を制御する制御方法であって、
（ａ）所定の移動体が予め設定された所定の目的地に到着する到着時刻を基準として設定された制御条件と、制御対象となる前記ネットワーク機器の動作を制御するための制御情報との関係を、複数の移動体について、該移動体ごとにそれぞれ規定した所定の制御規則を準備する工程と、
（ｂ）前記移動体の識別情報を取得する工程と、
（ｃ）前記移動体の現在位置を示す位置情報を取得する工程と、
（ｄ）該位置情報に基づいて、所定の演算によって前記到着時刻を予測する工程と、
（ｅ）前記制御規則を参照し、前記識別情報に基づいて、前記予測された到着時刻が前記制御条件を満たしたときに、前記ネットワーク機器に前記制御情報を送信する工程と、
を備える制御方法。
【請求項２０】  所定のネットワークを介して、該ネットワークに接続された所定のネットワーク機器の動作を制御する制御方法であって、
（ａ）所定の移動体の現在位置を示す位置情報を取得する工程と、
（ｂ）該位置情報に基づいて、前記ネットワーク機器の動作を制御するか否かを判断する工程と、
（ｃ）前記ネットワーク機器の動作を制御すべきと判断されたときに、前記ネットワーク機器の動作を制御するための制御情報を、前記ネットワーク機器に送信する工程と、
を備える制御方法。
【請求項２１】  所定のネットワークを介して、該ネットワークに接続された所定のネットワーク機器の動作を制御する制御方法であって、
（ａ）所定の移動体の現在位置を示す位置情報を時系列的に取得する工程と、
（ｂ）該時系列的に取得された位置情報と、予め設定された所定位置とに基づいて、該所定位置に対する前記移動体の移動状況を判断する工程と、
（ｃ）前記移動体が前記所定位置から離れつつあると判断されたときに、前記ネットワーク機器の動作を制御するための制御情報を前記ネットワーク機器に送信する工程と、
を備える制御方法。
【請求項２２】  所定の移動端末に所定のメッセージを送信するメッセージ送信装置を制御する制御方法であって、
（ａ）前記移動端末のユーザに依頼すべき事柄に関する情報と、該事柄を行う所定位置に関する情報とを含む依頼情報を取得する工程と、
（ｂ）前記移動端末の現在位置を示す位置情報を取得する工程と、
（ｃ）前記現在位置と予め設定された所定の目的地とに基づいて定められた所定の領域内に、前記所定位置が存在するか否かを判断する工程と、
（ｄ）前記領域内に前記所定位置が存在すると判断されたときに、前記所定位置で前記事柄を行うことを依頼するためのメッセージを、前記移動端末に送信する工程と、
を備える制御方法。
【請求項２３】  移動端末の動作を制御する制御方法であって、
（ａ）該移動端末の現在位置を示す位置情報の送信を許可するための送信条件を準備する工程と、
（ｂ）前記位置情報を検出する工程と、
（ｃ）前記送信条件が満たされたか否かを判断する工程と、
（ｃ）前記送信条件が満たされたときに、前記位置情報を所定の情報処理装置に送信する工程と、
を備える制御方法。
【請求項２４】  所定のネットワークを介して、該ネットワークに接続された所定のネットワーク機器の動作を制御するためのコンピュータプログラムであって、
所定の移動体が予め設定された所定の目的地に到着する到着時刻を基準として設定された制御条件と、制御対象となる前記ネットワーク機器の動作を制御するための制御情報との関係を、複数の移動体について、該移動体ごとにそれぞれ規定した所定の制御規則を記憶する機能と、
前記移動体の識別情報を取得する機能と、
前記移動体の現在位置を示す位置情報を取得する機能と、
該位置情報に基づいて、所定の演算によって前記到着時刻を予測する機能と、
前記制御規則を参照し、前記識別情報に基づいて、前記予測された到着時刻が前記制御条件を満たしたときに、前記ネットワーク機器に前記制御情報を送信する機能と、
をコンピュータに実現させるためのコンピュータプログラム。
【請求項２５】  所定のネットワークを介して、該ネットワークに接続された所定のネットワーク機器の動作を制御するためのコンピュータプログラムであって、
所定の移動体の現在位置を示す位置情報を取得する機能と、
該位置情報に基づいて、前記ネットワーク機器の動作を制御するか否かを判断する機能と、
前記ネットワーク機器の動作を制御すべきと判断されたときに、前記ネットワーク機器の動作を制御するための制御情報を、前記ネットワーク機器に送信する機能と、
をコンピュータに実現させるためのコンピュータプログラム。
【請求項２６】  所定のネットワークを介して、該ネットワークに接続された所定のネットワーク機器の動作を制御するためのコンピュータプログラムであって、
所定の移動体の現在位置を示す位置情報を時系列的に取得する工程と、
該時系列的に取得された位置情報と、予め設定された所定位置とに基づいて、該所定位置に対する前記移動体の移動状況を判断する機能と、
前記移動体が前記所定位置から離れつつあると判断されたときに、前記ネットワーク機器の動作を制御するための制御情報を前記ネットワーク機器に送信する機能と、
をコンピュータに実現させるためのコンピュータプログラム。
【請求項２７】  所定の移動端末に所定のメッセージを送信するメッセージ送信装置を制御するためのコンピュータプログラムであって、
前記移動端末のユーザに依頼すべき事柄に関する情報と、該事柄を行う所定位置に関する情報とを含む依頼情報を取得する機能と、
前記移動端末の現在位置を示す位置情報を取得する機能と、
前記現在位置と予め設定された所定の目的地とに基づいて定められた所定の領域内に、前記所定位置が存在するか否かを判断する機能と、
前記領域内に前記所定位置が存在すると判断されたときに、前記所定位置で前記事柄を行うことを依頼するためのメッセージを、前記移動端末に送信する機能と、
をコンピュータに実現させるためのコンピュータプログラム。
【請求項２８】  移動端末の動作を制御するためのコンピュータプログラムであって、
該移動端末の現在位置を示す位置情報の送信を許可するための送信条件を記憶する機能と、
前記位置情報を検出する機能と、
前記送信条件が満たされたか否かを判断する機能と、
前記送信条件が満たされたときに、前記位置情報を所定の情報処理装置に送信する機能と、
をコンピュータに実現させるためのコンピュータプログラム。
【請求項２９】  請求項２４ないし２８に記載のコンピュータプログラムをコンピュータ読み取り可能に記録した記録媒体。
【手続補正２】
【補正対象書類名】明細書
【補正対象項目名】０００７
【補正方法】変更
【補正の内容】
【０００７】
【課題を解決するための手段およびその作用・効果】
上述の課題の少なくとも一部を解決するため、本発明では、以下の構成を採用した。
本発明の第１の制御装置は、
所定のネットワークを介して、該ネットワークに接続された所定のネットワーク機器の動作を制御する制御装置であって、
所定の移動体が予め設定された所定の目的地に到着する到着時刻を基準として設定された制御条件と、制御対象となる前記ネットワーク機器の動作を制御するための制御情報との関係を、複数の移動体について、該移動体ごとにそれぞれ規定した所定の制御規則を記憶する制御規則記憶部と、
前記移動体の識別情報を取得する識別情報取得部と、
前記移動体の現在位置を示す位置情報を取得する位置情報取得部と、
該位置情報に基づいて、所定の演算によって前記到着時刻を予測する到着時刻予測部と、
前記制御規則を参照し、前記識別情報に基づいて、前記予測された到着時刻が前記制御条件を満たしたときに、前記ネットワーク機器に前記制御情報を送信する送信部と、
を備えることを要旨とする。
【手続補正３】
【補正対象書類名】明細書
【補正対象項目名】００１１
【補正方法】変更
【補正の内容】
【００１１】
本発明では、制御装置で複数の移動体の到着時刻を予測し、複数の移動体の到着時刻を、制御装置で一元的に管理するとともに、各移動体の到着時刻ごとに、制御規則に従って、ネットワーク機器の動作を柔軟に制御することができる。つまり、移動体側では、到着時刻の予測をする必要はない。この結果、移動体の位置情報を利用したネットワーク機器の制御システムの利便性を向上させることができる。
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】